(57)【要約】【課題】ユーザが見易い範囲において可能な限り映像コンテンツのサイズを削減することができる画質を自動決定することで、映像コンテンツのムーブ時またはダビング時のユーザの利便性を向上することができる録画再生装置を提供する。【解決手段】録画再生装置に接続された、映像コンテンツを再生可能なポータブル機器から、当該ポータブル機器で再生可能な映像コンテンツの画質を特定する画質情報を少なくとも１つ取得する画質情報取得部１３２と、録画再生装置からポータブル機器へ転送される対象の映像コンテンツである転送コンテンツの属性に基づいて、画質情報取得部１３２が取得した画質情報の中から画質情報を選択する画質情報選択部１３４と、転送コンテンツを、画質情報選択部１３４が選択した画質情報で特定される画質の映像コンテンツに変換する変換部１３６とを備える。【選択図】図３
2014082545.tif 000002
【特許請求の範囲】
【請求項１】
録画再生装置に接続された、映像コンテンツを再生可能なポータブル機器から、当該ポータブル機器で再生可能な映像コンテンツの画質を特定する画質情報を少なくとも１つ取得する画質情報取得部と、
前記録画再生装置から前記ポータブル機器へ転送される対象の映像コンテンツである転送コンテンツの属性に基づいて、前記画質情報取得部が取得した前記画質情報の中から画質情報を選択する画質情報選択部と、
前記転送コンテンツを、前記画質情報選択部が選択した前記画質情報で特定される画質の映像コンテンツに変換する変換部と
を備える録画再生装置。
【請求項２】
前記画質情報選択部は、
前記画質情報取得部が取得した前記画質情報の中から第１の画質情報を、初期状態の画質情報として設定する設定部と、
前記転送コンテンツの属性が予め定められた属性である場合に、前記第１の画質情報よりも低画質であり、かつ前記画質情報取得部が取得した前記画質情報に含まれる第２の画質情報を選択する選択部とを有する
請求項１記載の録画再生装置。
【請求項３】
前記転送コンテンツの属性は、前記転送コンテンツのジャンルである
請求項２記載の録画再生装置。
【請求項４】
前記選択部は、前記転送コンテンツのジャンルが音楽またはニュースに関するジャンルである場合に、前記第２の画質情報を選択する
請求項３記載の録画再生装置。
【請求項５】
さらに、
前記ポータブル機器から、前記ポータブル機器の画面サイズを取得する画面サイズ取得部を備え、
前記選択部は、さらに、前記転送コンテンツの属性が予め定められた属性であり、かつ前記ポータブル機器の画面サイズが予め定められたサイズ以下の場合に、前記第２の画質情報よりも低画質であり、かつ前記画質情報取得部が取得した前記画質情報に含まれる第３の画質情報を選択する
請求項２〜４のいずれか１項に記載の録画再生装置。
【請求項６】
さらに、
前記ポータブル機器から、当該ポータブル機器に記憶可能なデータの残容量を取得する残容量取得部を備え、
前記選択部は、さらに、前記残容量取得部が取得した前記残容量が、前記転送コンテンツを変換した前記第１の画質情報で特定される画質の映像コンテンツのサイズよりも小さく、かつ前記転送コンテンツの属性が予め定められた属性である場合に、前記第２の画質情報よりも低画質であり、かつ前記画質情報取得部が取得した前記画質情報に含まれる第３の画質情報を選択する
請求項２〜４のいずれか１項に記載の録画再生装置。
【請求項７】
前記画質情報選択部は、前記転送コンテンツが複数存在する場合には、前記転送コンテンツごとに、前記転送コンテンツの優先順位に応じた前記画質情報を選択する
請求項１〜６のいずれか１項に記載の録画再生装置。
【請求項８】
前記画質情報選択部は、前記転送コンテンツが複数存在する場合には、サイズの大きい前記転送コンテンツほど低画質になるように、前記転送コンテンツごとに前記画質情報を選択する
請求項７記載の録画再生装置。
【請求項９】
さらに、
前記転送コンテンツに含まれるＣＭ（Ｃｏｍｍｅｒｃｉａｌ  Ｍｅｓｓａｇｅ）部分を検出するＣＭ検出部を備え、
前記変換部は、前記ＣＭ検出部が検出した前記ＣＭ部分を除いた前記転送コンテンツを、前記画質情報選択部が選択した前記画質情報で特定される画質の前記映像コンテンツに変換する
請求項１〜８のいずれか１項に記載の録画再生装置。
【請求項１０】
前記変換部は、前記転送コンテンツのオープニング部分またはエンディング部分を除いた前記転送コンテンツを、前記画質情報選択部が選択した前記画質情報で特定される画質の前記映像コンテンツに変換する
請求項１〜８のいずれか１項に記載の録画再生装置。
【請求項１１】
前記画質情報は、前記ポータブル機器の解像度または前記ポータブル機器で再生可能な映像コンテンツのビットレートを特定する
請求項１〜１０のいずれか１項に記載の録画再生装置。
【請求項１２】
録画再生装置に接続された、映像コンテンツを再生可能なポータブル機器から、当該ポータブル機器で再生可能な映像コンテンツの画質を特定する画質情報を少なくとも１つ取得する画質情報取得ステップと、
前記録画再生装置から前記ポータブル機器へ転送される対象の映像コンテンツである転送コンテンツの属性に基づいて、前記画質情報取得ステップで取得された前記画質情報の中から画質情報を選択する画質情報選択ステップと、
前記転送コンテンツを、前記画質情報選択ステップで選択された前記画質情報で特定される画質の映像コンテンツに変換する変換ステップと
を含む録画再生装置の制御方法。
【発明の詳細な説明】
【技術分野】
【０００１】
本発明は、映像コンテンツを録画および再生する録画再生装置に関し、特に、映像コンテンツの画質を変換する録画再生装置に関する。
【背景技術】
【０００２】
携帯電話機やスマートフォンなどのポータブル機器の普及に伴い、ハードディスクレコーダーなどの録画再生装置に記録された映像コンテンツをポータブル機器にムーブまたはダビングして、ポータブル機器で再生する楽しみ方が増えている。
【０００３】
映像コンテンツをダビング等するためには、ユーザはポータブル機器で再生可能な映像コンテンツの画質を予め知っておく必要がある。しかし、ＡＶ機器の操作に慣れていないユーザにとっては、当該画質を知ることは困難である。このため、ポータブル機器が対応していない画質の映像コンテンツへの変換が行われてしまい、ポータブル機器で映像コンテンツが再生されないなどの問題が生じていた。
【０００４】
これに対し、ムーブまたはダビング時のユーザの利便性を向上させるために、特許文献１には、当該機器で再生可能な映像コンテンツのビットレート等の情報を取得し、取得した情報に基づいて映像コンテンツを圧縮する装置が開示されている。
【先行技術文献】
【特許文献】
【０００５】
【特許文献１】特開２０１２−１０９８１６号公報
【発明の概要】
【発明が解決しようとする課題】
【０００６】
しかし、ポータブル機器からビットレート等の情報を取得できたとしても、必ずしも最適な映像コンテンツの変換結果が得られるとは限らない。例えば、再生可能な映像コンテンツであっても、ポータブル機器の記憶容量が小さい場合には、ポータブル機器に映像コンテンツを記憶することができない。また、ポータブル機器に映像コンテンツを記憶することができたとしても、ポータブル機器の記憶容量は限られているため、ユーザが見易い範囲において可能な限り映像コンテンツのサイズを削減するのが望ましい。
【０００７】
本発明は、このような状況に鑑みてなされたものであり、ユーザが見易い範囲において可能な限り映像コンテンツのサイズを削減することができる画質を自動決定することで、映像コンテンツのムーブ時またはダビング時のユーザの利便性を向上することができる録画再生装置を提供することを目的とする。
【課題を解決するための手段】
【０００８】
上記目的を達成するために、本発明の一態様に係る録画再生装置は、録画再生装置に接続された、映像コンテンツを再生可能なポータブル機器から、当該ポータブル機器で再生可能な映像コンテンツの画質を特定する画質情報を少なくとも１つ取得する画質情報取得部と、前記録画再生装置から前記ポータブル機器へ転送される対象の映像コンテンツである転送コンテンツの属性に基づいて、前記画質情報取得部が取得した前記画質情報の中から画質情報を選択する画質情報選択部と、前記転送コンテンツを、前記画質情報選択部が選択した前記画質情報で特定される画質の映像コンテンツに変換する変換部とを備える。
【０００９】
この構成によると、録画再生装置に接続されたポータブル機器が対応可能な画質のうち、転送コンテンツの属性に基づいて選択された画質になるように、転送コンテンツが変換される。このため、転送コンテンツの属性が、高画質が要求される属性である場合と要求されない属性である場合とで、画質の異なる映像コンテンツを生成することができる。これにより、ユーザが見易い範囲において可能な限り映像コンテンツのサイズを削減することができる画質を自動決定することで、映像コンテンツのムーブ時またはダビング時のユーザの利便性を向上することができる。
【００１０】
例えば、前記画質情報選択部は、前記画質情報取得部が取得した前記画質情報の中から第１の画質情報を、初期状態の画質情報として設定する設定部と、前記転送コンテンツの属性が予め定められた属性である場合に、前記第１の画質情報よりも低画質であり、かつ前記画質情報取得部が取得した前記画質情報に含まれる第２の画質情報を選択する選択部とを有していても良い。
【００１１】
この構成によると、転送コンテンツの属性が予め定められた属性である場合に、変換後の映像コンテンツの画質を低下させることができる。
【００１２】
また、前記転送コンテンツの属性は、前記転送コンテンツのジャンルであっても良い。
【００１３】
この構成によると、転送コンテンツのジャンルが予め定められたジャンルである場合に、変換後の映像コンテンツの画質を低下させることができる。
【００１４】
また、前記選択部は、前記転送コンテンツのジャンルが音楽またはニュースに関するジャンルである場合に、前記第２の画質情報を選択しても良い。
【００１５】
音楽またはニュースの映像コンテンツでは、ユーザにとって、映像よりも音声が重要であると考えられる。このため、転送コンテンツのジャンルが音楽またはニュースに関するジャンルである場合には、変換後の映像コンテンツの画質を低下させても、ユーザに見づらく感じさせることはない。
【００１６】
また、上述の録画再生装置は、さらに、前記ポータブル機器から、前記ポータブル機器の画面サイズを取得する画面サイズ取得部を備え、前記選択部は、さらに、前記転送コンテンツの属性が予め定められた属性であり、かつ前記ポータブル機器の画面サイズが予め定められたサイズ以下の場合に、前記第２の画質情報よりも低画質であり、かつ前記画質情報取得部が取得した前記画質情報に含まれる第３の画質情報を選択しても良い。
【００１７】
ポータブル機器の画面サイズが小さい場合には、高画質の映像コンテンツを見る場合と低画質の映像コンテンツを見る場合とで、ユーザは画質の違いをあまり認識することができない。このため、このような場合には、変換後の映像コンテンツの画質を低下させても、ユーザに見づらく感じさせることはない。
【００１８】
また、上述の録画再生装置は、さらに、前記ポータブル機器から、当該ポータブル機器に記憶可能なデータの残容量を取得する残容量取得部を備え、前記選択部は、さらに、前記残容量取得部が取得した前記残容量が、前記転送コンテンツを変換した前記第１の画質情報で特定される画質の映像コンテンツのサイズよりも小さく、かつ前記転送コンテンツの属性が予め定められた属性である場合に、前記第２の画質情報よりも低画質であり、かつ前記画質情報取得部が取得した前記画質情報に含まれる第３の画質情報を選択しても良い。
【００１９】
この構成によると、ポータブル機器の残容量が小さい場合に、ユーザが見易い範囲において可能な限り映像コンテンツのサイズを削減することができる。
【００２０】
また、前記画質情報選択部は、前記転送コンテンツが複数存在する場合には、前記転送コンテンツごとに、前記転送コンテンツの優先順位に応じた前記画質情報を選択しても良い。
【００２１】
具体的には、前記画質情報選択部は、前記転送コンテンツが複数存在する場合には、サイズの大きい前記転送コンテンツほど低画質になるように、前記転送コンテンツごとに前記画質情報を選択しても良い。
【００２２】
サイズの大きい映像コンテンツほどサイズ削減の効果が大きい。このため、この構成によると、映像コンテンツのサイズ削減の効果を高めることができる。
【００２３】
また、上述の録画再生装置は、さらに、前記転送コンテンツに含まれるＣＭ（Ｃｏｍｍｅｒｃｉａｌ  Ｍｅｓｓａｇｅ）部分を検出するＣＭ検出部を備え、前記変換部は、前記ＣＭ検出部が検出した前記ＣＭ部分を除いた前記転送コンテンツを、前記画質情報選択部が選択した前記画質情報で特定される画質の前記映像コンテンツに変換しても良い。
【００２４】
ＣＭ部分を除くことにより、映像コンテンツのサイズをより削減することができる。
【００２５】
また、前記変換部は、前記転送コンテンツのオープニング部分またはエンディング部分を除いた前記転送コンテンツを、前記画質情報選択部が選択した前記画質情報で特定される画質の前記映像コンテンツに変換しても良い。
【００２６】
オープニング部分またはエンディング部分を除くことにより、映像コンテンツのサイズをより削減することができる。
【００２７】
また、前記画質情報は、前記ポータブル機器の解像度または前記ポータブル機器で再生可能な映像コンテンツのビットレートを特定しても良い。
【００２８】
解像度を小さくする、またはビットレートを小さくすることにより、映像コンテンツのサイズを削減することができる。
【００２９】
なお、本発明は、このような特徴的な処理部を備える録画再生装置として実現することができるだけでなく、録画再生装置に含まれる特徴的な処理部が実行する処理をステップとする録画再生装置の制御方法として実現することができる。また、録画再生装置に含まれる特徴的な処理部としてコンピュータを機能させるためのプログラムまたは録画再生装置の制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３０】
本発明によると、ユーザが見易い範囲において可能な限り映像コンテンツのサイズを削減することができる画質を自動決定することで、映像コンテンツのムーブ時またはダビング時のユーザの利便性を向上することができる。
【図面の簡単な説明】
【００３１】
【図１】本発明の実施の形態１に係る録画再生装置を含む、映像再生システムの外観図である。
【図２】録画再生装置のハードウェア構成を示すブロック図である。
【図３】システム制御部の機能的な構成を示すブロック図である。
【図４】録画再生装置が実行する処理のフローチャートである。
【図５】ポータブル機器の検出およびリスト表示処理（図４のＳ４）を説明するための図である。
【図６】機器情報取得処理（図４のＳ８）を説明するための図である。
【図７】画質情報取得部が取得したスマートフォンの画質情報の一例を示す図である。
【図８】残容量取得部が取得したスマートフォンの残容量の一例を示す図である。
【図９】画面サイズ取得部が取得したスマートフォンの画面サイズの一例を示す図である。
【図１０】録画済番組リスト表示処理（図４のＳ１０）を説明するための図である。
【図１１】画質情報選択処理（図４のＳ１４）を説明するための図である。
【図１２】画質情報選択処理（図４のＳ１４）の詳細なフローチャートである。
【図１３】画質変換処理（図４のＳ１８）の詳細なフローチャートである。
【発明を実施するための形態】
【００３２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３３】
（実施の形態１）
図１は、本発明の実施の形態１に係る録画再生装置を含む、映像再生システムの外観図である。
【００３４】
映像再生システム１０は、録画再生装置１００と、ディスプレイ２００と、スマートフォン３００と、タブレットＰＣ４００と、携帯電話機５００とを含む。
【００３５】
録画再生装置１００は、放送波などを介して送信される映像コンテンツを録画し、録画した映像コンテンツを再生する装置である。録画再生装置１００は、映像コンテンツの画質を変換した後、スマートフォン３００、タブレットＰＣ４００および携帯電話機５００に対して、画質変換後の映像コンテンツを転送する。
【００３６】
ディスプレイ２００は、録画再生装置１００に接続され、録画再生装置１００で再生される映像コンテンツを表示する。
【００３７】
スマートフォン３００、タブレットＰＣ４００および携帯電話機５００は、ポータブル機器の一例であり、録画再生装置１００から転送される画質変換後の映像コンテンツを再生する。
【００３８】
図２は、録画再生装置１００のハードウェア構成を示すブロック図である。
【００３９】
録画再生装置１００は、チューナ１０２と、映像音声処理部１０４と、音声出力部１１２と、映像出力部１１４と、ネットワークインタフェース部１１６と、ＲＡＭ１１８と、フラッシュＲＯＭ１２０と、システム制御部１２２と、リモコン受信部１２４とを含む。
【００４０】
チューナ１０２は、アンテナで受信されたテレビ放送波を介して映像コンテンツを受信する。映像コンテンツは、一般的には、テレビ番組放送データである。
【００４１】
映像音声処理部１０４は、映像コンテンツを、ディスプレイ２００に表示可能な形式の映像データおよびスピーカーから出力可能な形式の音声データに変換する。映像音声処理部１０４は、エンコーダ１０６と、ＨＤＤ（Ｈａｒｄ  Ｄｉｓｋ  Ｄｒｉｖｅ）装置１０８と、デコーダ１１０とを含む。エンコーダ１０６は、チューナ１０２が受信した映像コンテンツを符号化する。ＨＤＤ装置１０８は、エンコーダ１０６により符号化された映像コンテンツを記憶する。デコーダ１１０は、ＨＤＤ装置１０８に記憶された映像コンテンツを復号し、ディスプレイ２００に表示可能な形式の映像データおよびスピーカーから出力可能な形式の音声データを生成する。
【００４２】
音声出力部１１２は、デコーダ１１０で生成された音声データをディスプレイ２００のスピーカーに出力する。出力された音声データは、ディスプレイ２００のスピーカーから出力される。
【００４３】
映像出力部１１４は、デコーダ１１０で生成された映像データをディスプレイ２００に出力する。出力された映像データは、ディスプレイ２００に表示される。
【００４４】
ネットワークインタフェース部１１６は、スマートフォン３００、タブレットＰＣ４００および携帯電話機５００に接続され、これらのポータブル機器との間でデータの送受信を行う。
【００４５】
リモコン受信部１２４は、録画再生装置１００のリモコン（リモートコントローラ）から、録画再生装置１００を操作するための信号を受信する。
【００４６】
システム制御部１２２は、リモコン受信部１２４が受信した信号等に基づいて、映像音声処理部１０４およびネットワークインタフェース部１１６の処理を制御する。
【００４７】
ＲＡＭ１１８は、システム制御部１２２による制御処理において利用されるデータを一時的に記憶する揮発性のメモリである。
【００４８】
フラッシュＲＯＭ１２０は、システム制御部１２２による制御処理において利用されるデータを記憶する不揮発性のメモリである。
【００４９】
図３は、システム制御部１２２の機能的な構成を示すブロック図である。各処理部は、システム制御部１２２が録画再生装置１００を動作させるためのプログラムを実行したときに機能する機能的な処理部である。
【００５０】
システム制御部１２２は、画質情報取得部１３２と、画質情報選択部１３４と、変換部１３６と、残容量取得部１３８と、画面サイズ取得部１３９と、ＣＭ検出部１４０とを含む。
【００５１】
画質情報取得部１３２は、録画再生装置１００に接続された、映像コンテンツを再生可能なポータブル機器から、当該ポータブル機器で再生可能な映像コンテンツの画質を特定する画質情報を少なくとも１つ取得する。ここで言うポータブル機器とは、スマートフォン３００、タブレットＰＣ４００および携帯電話機５００である。また、画質情報は、ポータブル機器の解像度（画素数）またはポータブル機器で再生可能な映像コンテンツのビットレートを特定する。
【００５２】
画質情報選択部１３４は、録画再生装置１００からポータブル機器へ転送される対象の映像コンテンツである転送コンテンツの属性に基づいて、画質情報取得部１３２が取得した画質情報の中から一の画質情報を選択する。
【００５３】
画質情報選択部１３４は、設定部１４２と、選択部１４４とを含む。設定部１４２は、画質情報取得部１３２が取得した画質情報の中から第１の画質情報を、初期状態の画質情報として設定する。第１の画質情報とは、例えば、画質情報取得部１３２が取得した画質情報のうち、最高画質の画質情報（最高解像度および最高ビットレート）である。選択部１４４は、転送コンテンツの属性が予め定められた属性である場合に、第１の画質情報よりも低画質であり、かつ画質情報取得部１３２が取得した画質情報に含まれる第２の画質情報を、一の画質情報として選択する。
【００５４】
変換部１３６は、転送コンテンツを、画質情報選択部１３４が選択した一の画質情報で特定される画質の映像コンテンツに変換する。なお、変換部１３６は、映像音声処理部１０４を操作することにより、映像コンテンツの変換処理を実現する。
【００５５】
残容量取得部１３８は、ポータブル機器から、当該ポータブル機器に記憶可能なデータの残容量を取得する。
【００５６】
画面サイズ取得部１３９は、ポータブル機器から、当該ポータブル機器の画面サイズを取得する。
【００５７】
ＣＭ検出部１４０は、転送コンテンツに含まれるＣＭ（Ｃｏｍｍｅｒｃｉａｌ  Ｍｅｓｓａｇｅ）部分を検出する。
【００５８】
以下、録画再生装置１００が実行する処理について、具体例を挙げながら詳細に説明する。
【００５９】
図４は、録画再生装置１００が実行する処理のフローチャートである。
【００６０】
ユーザが録画再生装置１００のリモコン等を操作することにより送信される操作信号に応答して、録画再生装置１００は、映像コンテンツ変換モードに遷移する（Ｓ２）。映像コンテンツ変換モードとは、ＨＤＤ装置１０８に記録されている映像コンテンツ（転送コンテンツ）を、録画再生装置１００に接続されたポータブル機器で再生可能な映像コンテンツに変換するためのモードである。例えば、映像コンテンツをダビングしたりムーブしたりするためのモードである。
【００６１】
システム制御部１２２は、ネットワークインタフェース部１１６を介して録画再生装置１００に接続されたポータブル機器の検出を行い、検出されたポータブル機器の名称のリストを録画再生装置１００に接続されたディスプレイ２００に表示する（Ｓ４）。ポータブル機器の検出は、ＤＬＮＡ（Ｄｉｇｉｔａｌ  Ｌｉｖｉｎｇ  Ｎｅｔｗｏｒｋ  Ａｌｌｉａｎｃｅ）ガイドラインで規定されているＵＰｎＰ（Ｕｎｉｖｅｒｓａｌ  Ｐｌｕｇ  ａｎｄ  Ｐｌａｙ）等の既存のプロトコルに従い行われる。なお、既存のプロトコルではなく、独自に開発したプロトコルを用いてポータブル機器の検出を行っても良い。例えば、図５に示すように、システム制御部１２２は、スマートフォン３００、タブレットＰＣ４００および携帯電話機５００から、それぞれのＩＤとしてＩＤ１、ＩＤ２およびＩＤ３を取得することにより、ポータブル機器を検出する。システム制御部１２２は、取得したポータブル機器のＩＤをポータブル機器の名称に変換する。名称への変換は、録画再生装置１００が予め保持しているポータブル機器のＩＤと名称との対応関係を示したデータテーブルを参照することにより行っても良い。システム制御部１２２は、ポータブル機器の名称のリストを、ディスプレイ２００に表示する。図５には、ポータブル機器の名称のリストとして、「スマートフォン」、「タブレットＰＣ」、「携帯電話機」を含む名称が表示されている。
【００６２】
ユーザは、録画再生装置１００のリモコン１５０を操作することにより、ポータブル機器の名称のリストの中から、映像コンテンツを転送する先のポータブル機器を選択する。ここでは、例えば、「スマートフォン」が選択されたものとする。ポータブル機器が選択されると（Ｓ６でＹＥＳ）、画質情報取得部１３２、残容量取得部１３８および画面サイズ取得部１３９は、選択されたポータブル機器に対して、画質情報、残容量および画面サイズをそれぞれ問い合わせ、取得する（Ｓ８）。ここで、画質情報とは、ポータブル機器で再生可能な映像コンテンツの画質を特定するデータのことであり、ポータブル機器の解像度またはポータブル機器で再生可能な映像コンテンツのビットレートを特定する。残容量とは、ポータブル機器の記憶領域の空き容量のことであり、これから記憶することができるデータの最大容量のことである。また、画面サイズとは、ポータブル機器の画面サイズのことである。なお、以下では、画質情報と残容量と画面サイズとを合わせて機器情報と呼ぶ。ここでは、「スマートフォン」が選択されているため、画質情報取得部１３２、残容量取得部１３８および画面サイズ取得部１３９は、図６に示すように、スマートフォン３００から、解像度とビットレートとを特定する画質情報、残容量および画面サイズをそれぞれ取得する。
【００６３】
図７は、画質情報取得部１３２が取得したスマートフォン３００の画質情報の一例を示す図である。画質情報の各レコードは、画質ＩＤと、解像度と、ビットレートとを含む。例えば、画像ＩＤ「１」のレコードは、解像度が「ＨＤ（１２８０×７２０）」であり、ビットレートが「２Ｍｂｐｓ」であることを示している。図７の例では、スマートフォン３００が４種類の解像度に対応しており、かつ、４種類のビットレートの映像コンテンツを再生可能であることが示されている。
【００６４】
図８は、残容量取得部１３８が取得したスマートフォン３００の残容量の一例を示す図である。つまり、スマートフォン３００のデータの残容量が１２Ｇｂｙｔｅであることが示されている。
【００６５】
図９は、画面サイズ取得部１３９が取得したスマートフォン３００の画面サイズの一例を示す図である。つまり、スマートフォン３００の画面サイズが４インチであることが示されている。
【００６６】
次に、システム制御部１２２は、録画済番組リストをディスプレイ２００に表示する（Ｓ１０）。録画済番組リストとは、ＨＤＤ装置１０８に記録されている映像コンテンツの名称のリストである。例えば、図１０に示すように、システム制御部１２２は、録画済番組リストとして、映像コンテンツの名称である「８時のニュース」、「ミュージックアワー」、「火曜ロードショー」をディスプレイ２００に表示する。
【００６７】
ユーザは、録画再生装置１００のリモコン１５０を操作することにより、録画済番組リストの中から、録画再生装置１００からポータブル機器へ転送する映像コンテンツを選択する。ここでは、例えば、「８時のニュース」が選択されたものとする。映像コンテンツが選択されると（Ｓ１２でＹＥＳ）、画質情報選択部１３４は、選択された録画再生装置１００からポータブル機器へ転送される対象の映像コンテンツである転送コンテンツの属性に基づいて、画質情報取得部１３２が取得した画質情報の中から一の画質情報を選択する（Ｓ１４）。また、画質情報選択部１３４は、図１１に示すように、選択した画質情報をディスプレイ２００に表示する。なお、画質情報選択処理（Ｓ１４）の詳細については後述する。
【００６８】
ユーザは、転送コンテンツを、ディスプレイ２００に表示された画質情報の映像コンテンツに変換を希望する場合には、録画再生装置１００のリモコン１５０を操作し、ＯＫボタン２０２を押す。
【００６９】
ＯＫボタン２０２が押されると（Ｓ１６でＹＥＳ）、変換部１３６は、転送コンテンツの画質を変換する（Ｓ１８）。画質変換処理（Ｓ１８）の詳細については後述する。
【００７０】
次に、画質情報選択処理（図４のＳ１４）の詳細について説明する。図１２は、画質情報選択処理（図４のＳ１４）の詳細なフローチャートである。
【００７１】
画質情報取得部１３２は、画質情報取得部１３２、残容量取得部１３８および画面サイズ取得部１３９が機器情報取得処理（図４のＳ８）において、選択されたポータブル機器から機器情報を取得済みであるか否かを判断する（Ｓ２２）。機器情報を取得済みである場合には（Ｓ２２でＹＥＳ）、設定部１４２は、画質情報取得部１３２が取得した画質情報の中から最高画質の画質情報（最高解像度および最高ビットレート）を、初期状態の画質情報として設定する（Ｓ２４）。例えば、図７に示す画質情報が取得されている場合には、解像度「ＨＤ（１２８０×７２０）」およびビットレート「２Ｍｂｐｓ」が、初期状態の画質情報として設定される。
【００７２】
選択部１４４は、残容量取得部１３８が取得した残容量が少ないか否かを判断する（Ｓ２６）。つまり、選択部１４４は、残容量取得部１３８が取得した残容量が、転送コンテンツを変換した映像コンテンツである初期状態の画質情報で特定される画質の映像コンテンツのサイズよりも小さいか否かを判断する。
【００７３】
残容量が少ない、つまり、残容量が変換後の映像コンテンツのサイズよりも小さい場合には（Ｓ２６でＹＥＳ）、設定部１４２は、初期状態の画質情報（解像度およびビットレート）を１段階下げる（Ｓ２８）。つまり、設定部１４２は、図７に示す画質情報において、２番目のレコードに記憶されている解像度「ＸＧＡ（１０２４×７６８）」およびビットレート「１．５Ｍｂｐｓ」を、画質情報として設定する。
【００７４】
次に、選択部１４４は、画面サイズ取得部１３９が取得した画面サイズが小さいか否かを判断する（Ｓ３０）。つまり、選択部１４４は、画面サイズ取得部１３９が取得した画面サイズが、予め定められた画面サイズ閾値よりも小さいか否かを判断する。
【００７５】
画面サイズが小さい、つまり、画面サイズが画面サイズ閾値よりも小さい場合には（Ｓ３０でＹＥＳ）、設定部１４２は、画質情報のうち解像度を一段階下げる（Ｓ３２）。例えば、画面サイズが４インチであり画面サイズ閾値が５インチであるとした場合には、現在設定されている解像度「ＸＧＡ（１０２４×７６８）」を１段階下げて、解像度「ＶＧＡ（６４０×４８０）」とする。
【００７６】
次に、選択部１４４は、転送コンテンツが音声重視の番組か否かを判断する（Ｓ３４）。具体的には、選択部１４４は、転送コンテンツに付属している転送コンテンツのジャンルを示すジャンル情報が音楽またはニュースである場合に、音声重視の番組であると判断する。このジャンル情報が、転送コンテンツの属性の一種である。音声重視の番組であると判断した場合には（Ｓ３４でＹＥＳ）、設定部１４２は、画質情報のうち解像度を一段階下げる（Ｓ３６）。現在、転送コンテンツとして「８時のニュース」が選択されているため、この転送コンテンツは音声重視の番組である。このため、選択部１４４は、現在設定されている解像度「ＶＧＡ（６４０×４８０）」を１段階下げて、解像度「ＱＶＧＡ（３２０×２４０）」とする。
【００７７】
設定部１４２は、設定した画質情報をユーザに提示する（Ｓ３８）。ここまでの処理で、解像度が「ＱＶＧＡ（３２０×２４０）」と、ビットレートが「１．５Ｍｂｐｓ」と設定されている。このため、設定部１４２は、図１１に示すように解像度とビットレートとをディスプレイ２００に表示することにより、ユーザに提示する。
【００７８】
次に、画質変換処理（図４のＳ１８）の詳細について説明する。図１３は、画質変換処理（図４のＳ１８）の詳細なフローチャートである。
【００７９】
変換部１３６は、ＨＤＤ装置１０８に記憶されている転送コンテンツをデコーダ１１０に復号させる（Ｓ５２）。
【００８０】
ＣＭ検出部１４０は、復号後の転送コンテンツに含まれるＣＭ（Ｃｏｍｍｅｒｃｉａｌ  Ｍｅｓｓａｇｅ）部分を検出し、変換部１３６は、ＣＭ部分を転送コンテンツから削除する（Ｓ５４）。つまり、転送コンテンツからＣＭの再生時間区間を検出し、検出した再生時間区間をカットする。例えば、ＣＭ検出部１４０は、転送コンテンツのうちＣＭの再生時間区間に含まれるＣＭ信号に従って、ＣＭの再生時間区間を検出する。なお、ＣＭの再生時間区間の検出方法はこれに限定されるものではなく、二ヶ国語音声とステレオ音声との切り替わり時をＣＭの開始時または終了時とする方法など、他の方法を用いても良い。
【００８１】
変換部１３６は、転送コンテンツから、オープニング部分またはエンディング部分を検出し、削除する（Ｓ５６）。変換部１３６は、転送コンテンツの開始から予め定められた時間区間をオープニング部分として検出しても良い。また、変換部１３６は、転送コンテンツの終わりから予め定められた時間だけ前から転送コンテンツの終わりまでの時間区間をエンディング部分として検出しても良い。
【００８２】
変換部１３６は、ＣＭ部分と、オープニング部分またはエンディング部分とがカットされた転送コンテンツの解像度（画素数）を、画質情報選択処理（図４のＳ１４）で選択された解像度に変換する。つまり、変換部１３６は、画素間引きや平均化等の画像処理を転送コンテンツに対して施すことにより、転送コンテンツの解像度を変換する（Ｓ５８）。
【００８３】
変換部１３６は、解像度が変換された転送コンテンツをエンコーダ１０６に再エンコードさせる（Ｓ６０）。その際、変換部１３６は、転送コンテンツのビットレートを、画質情報選択処理（図４のＳ１４）で選択されたビットレートに変換する。例えば、変換部１３６は、エンコード時のパラメータとしてビットレートをエンコーダ１０６に送信することにより、ビットレートの変換を行う。
【００８４】
以上説明したように、本実施の形態によると、録画再生装置１００に接続されたポータブル機器が対応可能な画質のうち、転送コンテンツの属性に基づいて選択された画質になるように、転送コンテンツが変換される。このため、転送コンテンツの属性が、高画質が要求される属性である場合と要求されない属性である場合とで、画質の異なる映像コンテンツを生成することができる。これにより、ユーザが見易い範囲において可能な限り映像コンテンツのサイズを削減することができる画質を自動決定することで、映像コンテンツのムーブ時またはダビング時のユーザの利便性を向上することができる。なお、解像度を小さくする、またはビットレートを小さくすることにより、映像コンテンツのサイズを削減することができる。
【００８５】
具体的には、転送コンテンツの属性が予め定められた属性である場合に、変換後の映像コンテンツの画質を低下させることができる。
【００８６】
また、転送コンテンツのジャンルが予め定められたジャンルである場合に、変換後の映像コンテンツの画質を低下させることができる。
【００８７】
例えば、音楽またはニュースの映像コンテンツでは、ユーザにとって、映像よりも音声が重要であると考えられる。このため、転送コンテンツのジャンルが音楽またはニュースに関するジャンルである場合には、変換後の映像コンテンツの画質を低下させても、ユーザに見づらく感じさせることはない。
【００８８】
また、ポータブル機器の画面サイズが小さい場合に、映像コンテンツの画質を低下させる。ポータブル機器の画面サイズが小さい場合には、高画質の映像コンテンツを見る場合と低画質の映像コンテンツを見る場合とで、ユーザは画質の違いをあまり認識することができない。このため、このような場合には、変換後の映像コンテンツの画質を低下させても、ユーザに見づらく感じさせることはない。
【００８９】
また、ポータブル機器の残容量が小さい場合に、ユーザが見易い範囲において可能な限り映像コンテンツのサイズを削減することができる。
【００９０】
また、画質変換処理（図４のＳ１８）時に映像コンテンツからＣＭ部分を除いている。このため、映像コンテンツのサイズをより削減することができる。
【００９１】
また、画質変換処理（図４のＳ１８）時に映像コンテンツからオープニング部分またはエンディング部分を除いている。このため、映像コンテンツのサイズをより削減することができる。
【００９２】
以上、本発明の実施の形態に係る録画再生装置について説明したが、本発明は、この実施の形態に限定されるものではない。
【００９３】
例えば、上述の実施の形態では映像コンテンツ選択処理（図４のＳ１２）においてユーザが選択する映像コンテンツの個数は１つとしたが、ユーザが複数の映像コンテンツを選択することができても良い。この場合、画質情報選択処理（図４のＳ１４）において、選択された複数の映像コンテンツの各々に優先順位を設け、映像コンテンツごとに優先順位に応じて画質情報を選択するようにしても良い。
【００９４】
例えば、よりサイズの大きい映像コンテンツほどより優先順位を低くし、優先順位が低い映像コンテンツ、つまりサイズの大きい映像コンテンツほど低画質になるように、画質情報を選択しても良い。サイズの大きい映像コンテンツほどサイズ削減の効果が大きい。このため、この構成によると、映像コンテンツのサイズ削減の効果を高めることができる。
【００９５】
なお、優先順位は、映像コンテンツのサイズ以外によって決定されても良い。例えば、映像コンテンツに付属するジャンル情報に基づいて優先順位を決定しても良い。ジャンル情報が映画または演劇などの場合には、映像重視の映像コンテンツである可能性が高いため、優先順位を高く設定する。逆に、ジャンル情報がニュースまたは音楽などの場合には、音声重視の映像コンテンツである可能性が高いため、優先順位を低く設定する。これにより、優先順位が低いニュースまたは音楽の映像コンテンツが、優先順位が高い映画または演劇の映像コンテンツに比べて、より低画質になるように画質変換される。
【００９６】
また、録画再生装置１００に接続されるポータブル機器は、スマートフォン３００、タブレットＰＣ４００および携帯電話機５００に限定されるものではなく、映像コンテンツを再生可能な機器であれば他のポータブル機器であっても良い。また、ポータブル機器の台数も、録画再生装置１００に接続可能な台数以下であれば台数に制限はない。
【００９７】
また、上述の実施の形態では録画再生装置１００とポータブル機器とを直接接続することとしたが、ＬＡＮ（Ｌｏｃａｌ  Ａｒｅａ  Ｎｅｔｗｏｒｋ）などのネットワークを介して接続されていても良い。
【００９８】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９９】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１００】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０１】
また、本発明は、上記に示す方法であるとしても良い。また、本発明は、これらの方法をコンピュータにより実現するコンピュータプログラムであるとしても良いし、前記コンピュータプログラムからなるデジタル信号であるとしても良い。
【０１０２】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１０３】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０４】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０５】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０６】
また、本発明に係る録画再生装置に必須の構成要素は、図３に示したシステム制御部１２２において、画質情報選択部１３４と、画質情報取得部１３２と、変換部１３６とである。それ以外の構成は、必ずしも録画再生装置に備えられていなくても良い。
【０１０７】
さらに、上記実施の形態及び上記変形例をそれぞれ組み合わせるとしても良い。
【産業上の利用可能性】
【０１０８】
本発明は、テレビ番組等の映像コンテンツを録画および再生するハードディスクレコーダ、ＤＶＤレコーダ、ＢＤレコーダ等に適用可能である。
【符号の説明】
【０１０９】
１０  映像再生システム
１００  録画再生装置
１０２  チューナ
１０４  映像音声処理部
１０６  エンコーダ
１０８  ＨＤＤ装置
１１０  デコーダ
１１２  音声出力部
１１４  映像出力部
１１６  ネットワークインタフェース部
１１８  ＲＡＭ
１２０  フラッシュＲＯＭ
１２２  システム制御部
１２４  リモコン受信部
１３２  画質情報取得部
１３４  画質情報選択部
１３６  変換部
１３８  残容量取得部
１３９  画面サイズ取得部
１４０  ＣＭ検出部
１４２  設定部
１４４  選択部
１５０  リモコン
２００  ディスプレイ
２０２  ＯＫボタン
３００  スマートフォン
４００  タブレットＰＣ
５００  携帯電話機
【図１】
2014082545.tif 000003
【図２】
2014082545.tif 000004
【図３】
2014082545.tif 000005
【図４】
2014082545.tif 000006
【図５】
2014082545.tif 000007
【図６】
2014082545.tif 000008
【図７】
2014082545.tif 000009
【図８】
2014082545.tif 000010
【図９】
2014082545.tif 000011
【図１０】
2014082545.tif 000012
【図１１】
2014082545.tif 000013
【図１２】
2014082545.tif 000014
【図１３】
2014082545.tif 000015